(57)【要約】【課題】  短期間で施工でき、異物によるすべり部材やすべり板の傷付きを確実に防止可能な弾性すべり支承と、この弾性すべり支承を備えた免震装置を得る。【解決手段】  弾性すべり支承１０４の積層ゴム体１１６から、すべり板１１２に向かうワイパー部材１２４が延出される。すべり板１１２に対してすべり部材１２２及び積層ゴム体１１６が水平方向に移動すると、ワイパー部材１２４の下端がすべり面１１２Ｓに接触した状態を維持しつつ摺動し、すべり面１１２Ｓのゴミや汚れなどの異物が周囲へと除去される。従来のカバーが不要なので、短期間で施工でき、施工コストも低くなる。【選択図】        図１
2005054447.tif 000002
【特許請求の範囲】
【請求項１】
支持部材と被支持部材との間で、これらを水平方向に移動可能に支持する弾性すべり支承であって、
支持部材又は被支持部材の一方に固定されるすべり板と、
支持部材又は被支持部材の他方に固定される弾性部材と、
前記弾性部材に、前記すべり板に対し摺動可能に固定されたすべり部材と、
前記すべり部材の周囲に配置されるように前記弾性部材に設けられ、すべり部材と一体的にすべり板に対し摺動するワイパー部材と、
を有することを特徴とする弾性すべり支承。
【請求項２】
前記弾性部材が、少なくともゴムを含んで構成されていることを特徴とする請求項１に記載の弾性すべり支承。
【請求項３】
前記弾性部材が、ゴム板と金属板とを積層した積層ゴム体、とされていることを特徴とする請求項２に記載の弾性すべり支承。
【請求項４】
前記ワイパー部材が、前記ゴムと一体で設けられていることを特徴とする請求項２又は請求項３に記載の弾性すべり支承。
【請求項５】
請求項１〜請求項４のいずれかに記載の弾性すべり支承と、
支持部材と被支持部材との水平方向の相対移動によって弾性変形する変形部材と、
を有することを特徴とする免震装置。
【発明の詳細な説明】
【技術分野】
【０００１】
本発明は、弾性すべり支承及び免震装置に関する。
【背景技術】
【０００２】
支持部材に対し、ビルなどの構造物（被支持部材）を免震して支持する免震装置が知られている。このような免震装置では、支持部材上の支承によって、被指示部材である上部構造物が支持されると共に、支持部材と上部構造物とが水平方向に相対移動可能とされている。さらに、支持部材と上部構造物との間には、これらの相対移動によって弾性変形する変形部材が配置されている。
【０００３】
支承としては、ゴム等の弾性体を使用し、弾性体に取り付けたすべり材が、支持部材（又は被支持部材）に取り付けたすべり板上をすべるように構成されたものがある。
【０００４】
ところが、すべり板上（すべり面）にゴミなどの異物が付着した状態ですべり材がずべると、すべり板とすべり材との間に異物が入り込み、これらに傷がつくおそれがある。
【０００５】
これに対し、図５に示すように、特許文献１に記載されたすべり支承体２１では、すべり支承用カバー２４が設けられており、すべり面２２への水やほこりの侵入が防止されている。
【０００６】
しかし、特許文献１の構成では、すべり支承用カバー２４を取り付けるため施工に長期間を要する。
【特許文献１】特開２００１−３１７２２８号公報
【発明の開示】
【発明が解決しようとする課題】
【０００７】
本発明は上記事実を考慮し、短期間で施工でき、異物によるすべり部材やすべり板の傷付きを確実に防止可能な弾性すべり支承と、この弾性すべり支承を備えた免震装置を得ることを課題とする。
【課題を解決するための手段】
【０００８】
請求項１に記載の発明では、支持部材と被支持部材との間で、これらを水平方向に移動可能に支持する弾性すべり支承であって、支持部材又は被支持部材の一方に固定されるすべり板と、支持部材又は被支持部材の他方に固定される弾性部材と、前記弾性部材に、前記すべり板に対し摺動可能に固定されたすべり部材と、前記すべり部材の周囲に配置されるように前記弾性部材に設けられ、すべり部材と一体的にすべり板に対し摺動するワイパー部材と、を有することを特徴とする。
【０００９】
この弾性すべり支承では、支持部材又は被支持部材の一方にすべり板が固定され、他方には、弾性部材とすべり部材とが固定されて、被支持部材の荷重を支持部材上で支持している。そして、被支持部材の支持部材に対する水平方向への相対移動を、すべり部材がすべり板上をすべることにより許容する。
【００１０】
ここで、本発明では、すべり部材の周囲にワイパー部材が配置されており、すべり部材と一体的にすべり板に対してワイパー部材がすべることで、すべり板上の異物を除去できるようになっている。これにより、すべり部材及びすべり板の傷付きが防止できる。
【００１１】
しかも、ワイパー部材は弾性部材に設けられており、従来のようなカバーを設置する必要がないので、施工期間が長くなることはなく、短期間で施工できる。施工コストも低くなる。
【００１２】
弾性部材としては、たとえば請求項２に記載のように、少なくともゴムを含んで構成されているものを挙げることができ、特に、請求項３に記載のように、ゴム板と金属板とを積層した積層ゴム体を挙げることができる。これらの構成において、請求項４に記載のように、ゴム（ゴム板）と一体でワイパー部材を設けると、弾性すべり支承を構成する部品点数が少なくなる。
【００１３】
請求項５に記載の発明では、請求項１〜請求項４のいずれかに記載の弾性すべり支承と、支持部材と被支持部材との水平方向の相対移動によって弾性変形する変形部材と、を有することを特徴とする。
【００１４】
支持部材と被支持部材とが水平方向に相対移動しようとすると、これが、弾性すべり支承によって許容される。この相対移動により、変形部材が弾性変形して支持部材と被支持部材とに復元力を作用させる。
【００１５】
また、請求項１〜請求項４のいずれかに記載の弾性すべり支承を備えているので、すべり部材と一体的にすべり板に対してワイパー部材がすべり、すべり板上の異物を除去して、すべり板の傷付きが防止できる。しかも、短期間で施工でき、施工コストも低くなる。
【００１６】
なお、上記の「被支持部材」としては、本発明の弾性すべり支承を介して支持される構造物であればよく、例えば、オフィスビル、病院、集合住宅、美術館、公会堂、学校、庁舎、神社仏閣、橋梁、競技場、照明灯等を挙げることができる。また、「支持部材」としては、本発明の弾性すべり支承を介して上記の被支持部材を支持するものであればよく、例えば、これら被支持部材のの基礎、土台、地盤等を含む。
【発明の効果】
【００１７】
本発明は上記構成としたので、短期間で施工できると共に、異物によるすべり板の傷付きを確実に防止できる。
【発明を実施するための最良の形態】
【００１８】
図１には、本発明の第１実施形態の免震装置１０２を、支持部材の一例である建物基礎１０６と、被支持部材の一例であるビルの鉄骨架台１０８（あるいはＰＣ板）との間に配置した状態が示されている。免震装置１０２は、弾性すべり支承１０４と、復元部材１１０とで構成されている。
【００１９】
弾性すべり支承１０４は、建物基礎１０６の台部１０６Ｂ上に固定されるベース板１１１を有している。ベース板１１１には、上面が滑り面１１２Ｓとされたすべり受け板１１２が配置されている。台部１０６Ｂの上面は平坦に形成されており、これによって、すべり受け板１１２（特に、すべり面１１２Ｓ）の平面性が確保されている。
【００２０】
また、弾性すべり支承１０４は、ボルト１１４によって鉄骨架台１０８に固定される上板１１５を有しており、上板１１５の下面には、積層ゴム体１１６が固定されている。積層ゴム体１１６は、厚み方向に所定の間隙をあけて積層された複数の内部鋼鈑１２０と、これらの間に配置されたゴム板１１８とで構成されている。
【００２１】
積層ゴム体１１６の下面にはすべり部材１２２が固定されており、すべり部材１２２の下面とすべり板１１２の上面（すべり面１１２Ｓ）とが接触している。すべり部材１２２の下面は、すべり面１１２Ｓとの摩擦が小さくなるように、たとえばテフロン（登録商標、デュポン社の商品名）加工などの処理が施されている。したがって、建物基礎１０６と鉄骨架台１０８との水平方向の相対移動が、すべり板１１２とすべり部材１２２とのすべりによって許容される。
【００２２】
図２及び図３に詳細に示すように、積層ゴム体１１６はすべり部材１２２よりも外側に張り出す形状とされており、張り出した部分のゴムと一体で、すべり板１１２に向かうワイパー部材１２４が延出されている。ワイパー部材１２４は、すべり部材１２２の外側を全周にわたって包囲し、かつ、その下端が、所定の接触圧力ですべり面１１２Ｓに接触している。したがって、すべり板１１２に対してすべり部材１２２及び積層ゴム体１１６が水平方向に移動すると、ワイパー部材１２４の下端がすべり面１１２Ｓに接触した状態を維持しつつ摺動する。ワイパー部材１２４は、このようにすべり面１１２Ｓに接触した状態で摺動することで、積層ゴム体１１６の周囲においてすべり面１１２Ｓの異物を除去可能なものである。
【００２３】
これに対し、復元部材１１０は、円盤状の下フランジ１３２と、下フランジ１３２の中央から立設された略円柱状のゴム体１３６、及びゴム体１３６の上面に固定された円盤状の上フランジ（図示省略）と、を有している。下フランジ１３２は、その周囲のボルト１１４によって台部１０６Ｂに固定されている。上フランジ１３４も、ボルト１１４によって、鉄骨架台１０８に固定されている。
【００２４】
ゴム体１３６は、一定サイズに形成され、厚み方向に所定の間隙をあけて積層された複数の金属板１４２と、これらの間隙に配置されたゴム層１４４を備えている。ゴム層１４４を構成するゴムは、さらに、金属板１４２及び上フランジ１３４の縁部を取り囲むように周囲に配置されて、ゴム壁１４６とされており、これらを側方から覆っている。これにより、ゴム層１４４は紫外線等から保護され、その耐久性が向上されている。ゴム層１４４及びゴム壁１４６の具体的材料としては、たとえば、ＥＰＤＭなどの合成ゴムを挙げることができる。
【００２５】
なお、弾性すべり支承１０４及び復元部材１１０の数及び位置は、それぞれに求められる作用を果たすことが可能であれば特に限定されない。また、弾性すべり支承１０４と復元部材１１０の数が一致している必要もない。また、弾性すべり支承１０４及び復元部材１１０を構成している各部材を固定する構造も、特に限定されない。たとえば、上記したボルト１１４やネジなどの係止部材を用いてもよいが、接着剤等による接着や、物理的な嵌合が可能である場合には、これらの方法でもよい。
【００２６】
このような構成とされた第１実施形態の免震装置１０２では、弾性すべり支承１０４が、建物基礎１０６上で、ビルの鉄骨架台１０８を支持している。ここで、たとえば、地震等によって建物基礎１０６に横揺れが発生したような場合には、すべり板１１２のすべり面１１２Ｓとすべり部材１２２とがすべり、この揺れは鉄骨架台１０８へ直接的には伝わらなくなる。このとき、弾性すべり支承１０４は、建物の固有周期を排除し、揺れの大きさを制限する。
【００２７】
建物基礎１０６と鉄骨架台１０８とが水平方向に相対移動すると、復元部材１１０のゴム体１３６がせん断変形し、その弾性力が、建物基礎１０６及び鉄骨架台１０８に対し復元力として作用する。これにより、建物基礎１０６と鉄骨架台１０８との相対移動が制限されると共に長周期化されるので、これらが相対移動前の位置に戻ろうとすると共に、相対移動のエネルギーが吸収される。
【００２８】
このとき、弾性すべり支承１０４では、積層ゴム体１１６から延出されたワイパー部材１２４の下端が、所定の接触圧力ですべり面１１２Ｓに接触した状態を維持しつつ摺動する。これにより、すべり面１１２Ｓのゴミや汚れなどの異物が周囲へと除去される。すなわち、すべり部材１２２は異物が除去されたすべり面１１２Ｓをすべるので、すべり部材１２２及びすべり板１１２の異物による傷付きを防止できる。特に、すべり部材１２２の下面がテフロン（登録商標）加工されている場合には傷付きやすいが、この場合であっても傷付きを確実に防止できる。
【００２９】
しかも、従来のようなカバーが不要なので、短期間で施工でき、施工コストも低くなる。また、弾性すべり支承１０４の点検時などでも、カバーを取り外す必要がないので、作業性に優れる。
【００３０】
図４には、本発明の第２実施形態の弾性すべり支承１５４が示されている。この弾性すべり支承１５４では、第１実施形態の弾性すべり支承１０４と比較して、弾性部材１５６が、ゴムのみで構成されている点が異なっている。なお、第２実施形態では、免震装置の全体構成は、弾性部材１５６を除いて第１実施形態と同一とされているので、図示を省略する。
【００３１】
このような構成の弾性すべり支承１５４であっても、ワイパー部材１２４の下端の摺動によってすべり面１１２Ｓの異物が周囲へと除去されるので、すべり部材１２２及びすべり板１１２の異物による傷付きを防止できる。また、従来のようなカバーが不要なので、低コストかつ短期間で施工でき、点検時の作業性にも優れる。
【００３２】
なお、本発明の各実施形態において、ワイパー部材１２４は、積層ゴム体１１６や弾性部材１５６から一体で延出されている必要はない。たとえば、これらとは別体で形成されたワイパー部材を後工程で一体化かしても、従来のようなカバーは不要であり、短期間で施工できると共に、施工コストも低くなる。特に、上記各実施形態のように積層ゴム体１１６や弾性部材１５６のゴムとあらかじめ一体化して設けると、製造も容易になるので好ましい。
【図面の簡単な説明】
【００３３】
【図１】本発明の第１実施形態の免震装置を示す一部破断正面図である。
【図２】本発明の第１実施形態の弾性すべり支承を示す断面図である。
【図３】本発明の第１実施形態の弾性すべり支承を示す部分的に拡大して示す断面図である。
【図４】本発明の第２実施形態の弾性すべり支承を示す断面図である。
【図５】従来のすべり支承装置を示す一部破断斜視図である。
【符号の説明】
【００３４】
１０２    免震装置
１０４    弾性すべり支承
１０６    建物基礎（支持部材）
１０８    鉄骨架台（被支持部材）
１１０    復元部材（変形部材）
１１２    すべり板
１１２Ｓ  すべり面
１１６    積層ゴム体（弾性部材）
１２２    すべり部材
１２４    ワイパー部材
【図１】
2005054447.tif 000003
【図２】
2005054447.tif 000004
【図３】
2005054447.tif 000005
【図４】
2005054447.tif 000006
【図５】
2005054447.tif 000007